(57)【要約】【課題】多階層用の縦長の外壁パネルを縦起こすような場合でも、当該外壁パネルに大きな撓みが発生するのを抑制できる吊り上げ具、吊り上げ方法および吊り上げ対象物を提供する。【解決手段】吊り上げ具１は、吊り上げ対象物である壁パネル２の第１高さ位置に設けられる第１引っ掛け部１１と、上記第１高さ位置よりも低い第２高さ位置に設けられる第２引っ掛け部１２と、上記第１引っ掛け部１１から上記第２引っ掛け部１２に渡って設けられるワイヤー部１３と、上記ワイヤー部１３に対して回転を生じて当該ワイヤー部１３を持ち上げる滑車１４と、上記ワイヤー部１３に連結されており、上記壁パネル２が縦起こされた状態で上記第１引っ掛け部１１に係合する係合部１５と、を備える。【選択図】図１
2018043859.tif 000002
【特許請求の範囲】
【請求項１】
吊り上げ対象物の第１高さ位置に設けられる第１引っ掛け部と、上記第１高さ位置よりも低い第２高さ位置に設けられる第２引っ掛け部と、上記第１引っ掛け部から上記第２引っ掛け部に渡って設けられるワイヤー部と、上記ワイヤー部に連結されており、上記吊り上げ対象物が縦起こされた状態で上記第１引っ掛け部に係合する係合部と、を備えることを特徴とする吊り上げ具。
【請求項２】
請求項１に記載の吊上げ具において、上記吊り上げ対象物の吊り起こし状態の変化に対して上記ワイヤー部の支持状態を変化させる持ち上げ支持部を備えることを特徴とする吊り上げ具。
【請求項３】
請求項２に記載の吊上げ具において、上記持ち上げ支持部は滑車であることを特徴とする吊り上げ具。
【請求項４】
請求項１〜請求項３のいずれか１項に記載の吊上げ具において、長さが変更可能な長さ変更装置が上記第２引っ掛け部の側の上記ワイヤー部に直列に連結されたことを特徴とする吊り上げ具。
【請求項５】
請求項４に記載の吊上げ具において、上記長さ変更装置は、上記係合部に連結されていることを特徴とする吊り上げ具。
【請求項６】
請求項４または請求項５に記載の吊上げ具において、上記長さ変更装置は、シリンダーと、このシリンダー内に移動可能に設けられたピストンと、上記ピストンとともに移動するプランジャと、上記ピストンで仕切られる上記シリンダー内の２室を連通させる連通パイプと、上記連通パイプによるシリンダー内の流動体の移動を制御するコック部とを備えることを特徴とする吊り上げ具。
【請求項７】
請求項１〜請求項６のいずれか１項に記載の吊上げ具において、上記吊上げ対象物は、フレームに壁面材が取り付けられた壁パネルであり、上記第１引っ掛け部および上記第２引っ掛け部は、上記壁パネルの横方向に上記壁面材の突出量を超えて突出することを特徴とする吊り上げ具。
【請求項８】
フレームに壁面材が取り付けられた壁パネルまたは壁面材が未だ取り付けられていないフレームである吊り上げ対象物において、上記フレームの第１高さ位置に形成されており、当該フレームから横方向に突出する第１引っ掛け部が取り付けられる第１取り付け部と、上記第１高さ位置よりも低い第２高さ位置に形成されており、当該フレームから横方向に突出する第２引っ掛け部が取り付けられる第２取り付け部と、を有することを特徴とする吊り上げ対象物。
【請求項９】
請求項８に記載の吊り上げ対象物において、上記第２取り付け部が設けられた上記フレームの箇所に横残が設けられていることを特徴とする吊り上げ対象物。
【請求項１０】
吊り上げ対象物の第１高さ位置と上記第１高さ位置よりも低い第２高さ位置とにワイヤーを掛け渡し、上記吊り上げ対象物を縦起こした後に、上記第１高さ位置の箇所だけで上記吊り上げ対象物を吊る状態を形成することを特徴とする吊り上げ方法。
【発明の詳細な説明】
【技術分野】
【０００１】
この発明は、外壁パネル等を吊り上げる吊り上げ具、吊り上げ方法および吊り上げ対象物に関する。
【背景技術】
【０００２】
特許文献１には、垂下されたメインワイヤーと吊荷とを連結する吊り治具が開示されている。この吊り治具は、第一凹溝及び第二凹溝が並設された滑車を備え、前記メインワイヤーに吊持される滑車部と、前記第一凹溝に掛け渡された第一ワイヤー及び前記第二凹溝に掛け渡された第二ワイヤーからなるワイヤー部と、前記第一ワイヤーを取り付ける第一取付部と、前記第二ワイヤーを取り付ける第二取付部とを備え、前記第一ワイヤー及び第二ワイヤーの両端にそれぞれ取り付けられた一対の係止具と、を有している。
【０００３】
ところで、近年においては、各階用の小さな外壁パネルではなく、２階分或いは３階分といった多階層用の大型の外壁パネルを縦起こして建物躯体に取り付けることが考えられている。
【先行技術文献】
【特許文献】
【０００４】
【特許文献１】特開２００９−７３５９３号公報
【発明の概要】
【発明が解決しようとする課題】
【０００５】
しかしながら、上記従来の吊り治具を、多階層用の大型の外壁パネルの上端に連結し、当該外壁パネルの下端を支点に縦起こそうとした場合には、上記下端と上記上端の距離が長いために外壁パネルに大きな撓みが発生する。このような大きな撓みが発生すると、外壁パネルのフレームが損傷したり、外壁面材に亀裂が入るなどの問題が生じる。一方、上記フレームの断面積を大きくして外壁パネルの剛性を高めると、外壁パネルの重量増加やコスト増を招来する。
【０００６】
この発明は、上記の事情に鑑み、例えば、多階層用の縦長の外壁パネルを縦起こすような場合でも、当該外壁パネルに大きな撓みが発生するのを抑制できる吊り上げ具、吊り上げ方法および吊り上げ対象物を提供することを課題とする。
【課題を解決するための手段】
【０００７】
この発明の吊り上げ具は、上記の課題を解決するために、吊り上げ対象物の第１高さ位置に設けられる第１引っ掛け部と、上記第１高さ位置よりも低い第２高さ位置に設けられる第２引っ掛け部と、上記第１引っ掛け部から上記第２引っ掛け部に渡って設けられるワイヤー部と、上記ワイヤー部に連結されており、上記吊り上げ対象物が縦起こされた状態で上記第１引っ掛け部に係合する係合部と、を備えることを特徴とする。
【０００８】
上記の構成であれば、上記第１高さ位置よりも低い第２高さ位置に設けられる第２引っ掛け部によって、上記吊り上げ対象物の全高よりも低い位置で当該吊り上げ対象物の荷重の一部を受けるので、例えば、上記吊り上げ対象物として多階層用の縦長の外壁パネルを縦起こす場合でも、当該外壁パネルに大きな撓みが発生するのを抑制することができる。そして、上記係合部が上記第１引っ掛け部に係合する状態において、吊り上げ対象物の全荷重を上記第１引っ掛け部に負担させることが可能となり、このような負担状態を形成することで、上記第２引っ掛け部を吊り上げ対象物から外すことが可能になる。
【０００９】
上記吊り上げ対象物の吊り起こし状態の変化に対して上記ワイヤー部の支持状態を変化させる持ち上げ支持部を備えてもよい。これによれば、吊り上げ対象物を吊り上げるときの上記ワイヤー箇所での支持位置変動を円滑に行わせることができる。
【００１０】
上記持ち上げ支持部は滑車であってもよい。これによれば、吊り上げ対象物を吊り上げるときの上記ワイヤー箇所での支持位置変動を上記滑車の回転によって円滑に行わせることができる。
【００１１】
長さが変更可能な長さ変更装置が上記第２引っ掛け部の側の上記ワイヤー部に直列に連結されていてもよい。これによれば、上記係合部が上記第１引っ掛け部に係合する状態で上記長さ変更装置によって上記第２引っ掛け部の側での上記ワイヤー部の実質長さを長くするという簡単な操作により、上記吊り上げ対象物の全荷重を上記第１引っ掛け部に負担させることができる。
【００１２】
上記長さ変更装置は、上記係合部に連結されていてもよい。また、上記長さ変更装置は、シリンダーと、このシリンダー内に移動可能に設けられたピストンと、上記ピストンとともに移動するプランジャと、上記ピストンで仕切られる上記シリンダー内の２室を連通させる連通パイプと、上記連通パイプによるシリンダー内の流動体の移動を制御するコック部とを備えていてもよい。
【００１３】
また、上記吊上げ対象物は、フレームに壁面材が取り付けられた壁パネルであり、上記第１引っ掛け部および上記第２引っ掛け部は、上記壁パネルの横方向に上記壁面材の突出量を超えて突出するようにしてもよい。
【００１４】
また、この発明の吊り上げ対象物は、フレームに壁面材が取り付けられた壁パネルまたは壁面材が未だ取り付けられていないフレームである吊り上げ対象物において、上記フレームの第１高さ位置に形成されており、当該フレームから横方向に突出する第１引っ掛け部が取り付けられる第１取り付け部と、上記第１高さ位置よりも低い第２高さ位置に形成されており、当該フレームから横方向に突出する第２引っ掛け部が取り付けられる第２取り付け部と、を有することを特徴とする。
【００１５】
上記吊り上げ対象物において、上記第２取り付け部が設けられた上記フレームの箇所に横残が設けられていてもよい。これによれば、上記第２取り付け部の箇所の剛性を高めて、当該第２取り付け部に加わる荷重で吊り上げ対象物が変形するのを抑制できる。
【００１６】
また、この発明の吊り上げ方法は、吊り上げ対象物の第１高さ位置と上記第１高さ位置よりも低い第２高さ位置とにワイヤーを掛け渡し、上記吊り上げ対象物を縦起こした後に、上記第１高さ位置の箇所だけで上記吊り上げ対象物を吊る状態を形成することを特徴とする。
【００１７】
上記の方法であれば、上記第１高さ位置よりも低い第２高さ位置において、吊り上げ対象物の荷重の一部を受けるので、例えば、吊り上げ対象物として多階層用の縦長の外壁パネルを縦起こす場合でも、当該外壁パネルに大きな撓みが発生するのを抑制することができる。また、上記吊り上げ対象物が縦起こされた後に、上記第１高さ位置の箇所だけで上記吊り上げ対象物を吊る状態が形成されるので、例えば、上記第２高さ位置の箇所に設けた吊り治具を簡単に取り外すことができる。
【発明の効果】
【００１８】
本発明であれば、例えば、多階層用の縦長の外壁パネルを縦起こす場合でも、当該外壁パネルに大きな撓みが発生するのを抑制できるという効果を奏する。
【図面の簡単な説明】
【００１９】
【図１】本発明の実施形態に係る吊り上げ具および吊り上げ対象物を示した概略の斜視図である。
【図２】図１の吊り上げ具で吊り上げ対象物を縦起こした状態を示した概略の斜視図である。
【図３】図２の縦起こし状態で吊り上げ具における長さ変更装置の長さを長くした状態を示した概略の斜視図である。
【図４】同図（Ａ）および同図（Ｂ）は、図１に示した吊り上げ具の長さ変更装置の構造例を示した説明図である。
【図５】図１に示した吊り上げ具の長さ変更装置に代わる機構例を示した説明図である。
【図６】同図（Ａ）および同図（Ｂ）は、図１に示した吊り上げ具の第１引っ掛け部および係合部の他の構成例を示した説明図である。
【図７】図１に示した吊り上げ具の第２引っ掛け部および長さ変更装置の他の構成例を示した説明図である。
【図８】図１に示した持ち上げ支持部の他の例（ウィンチ）を示した説明図である。
【図９】図１に示した持ち上げ支持部の他の例（天秤部材）を示した説明図である。
【発明を実施するための形態】
【００２０】
以下、この発明の実施の形態を添付図面に基づいて説明する。
図１に示すように、この実施形態の吊り上げ具１は、吊り上げ対象物として壁パネル２を吊り上げることができる。
【００２１】
上記壁パネル２は、フレーム２１に壁面材２２が取り付けられた構造を有し、縦長（例えば、高さ８ｍ程度）に形成されており、多階層用の大型の外壁パネルとなるものである。また、上記壁パネル２は、例えば、上記フレーム２１の左右の各々の縦フレーム部２１ａに、第１取り付け部２５および第２取り付け部２６を備えている。なお、上記壁パネル２は、工場で生産され、トラック等に横配置で積まれて建築現場に搬送される。この実施形態では、上記壁パネル２は上記壁面材２２を上にして積まれる。
【００２２】
上記第１取り付け部２５は、左右の各々の縦フレーム部２１ａの第１高さ位置に形成されている。この第１高さ位置は、上記壁パネル２を縦起こしたときの高さ方向の位置であり、この実施形態では、上記フレーム２１の上側の横フレーム部２１ｂの高さに一致する位置またはその近傍位置としている。各第１取り付け部２５には、上記吊り上げ具１における第１引っ掛け部１１が、上記壁パネル２の横方向に上記壁面材２２を超えて突出するように取り付けられる。
【００２３】
上記第２取り付け部２６は、上記縦フレーム部２１ａの第２高さ位置に形成されている。この第２高さ位置は、上記壁パネル２を縦起こしたときの高さ方向の位置であり、上記第１高さ位置よりも低く、壁パネル２の中間位置よりも高い位置としている。この実施形態では、上記第２高さ位置は、上記フレーム２１の上側の横フレーム部２１ｂの下側に位置する横桟２１ｃの高さに一致する位置（例えば、壁パネル２の上端から約２ｍ程度下の位置）またはその近傍位置としている。各第２取り付け部２６には、上記吊り上げ具１における第２引っ掛け部１２が、上記壁パネル２の横方向に上記壁面材２２を超えて突出するように取り付けられる。
【００２４】
上記縦フレーム部２１ａは、例えば、溝型鋼とされ、そのウェブ部を外側に向けて配置される。上記第１取り付け部２５および第２取り付け部２６は、例えば、上記縦フレーム部２１ａのウェブ部に形成された挿通孔である。なお、上記第１取り付け部２５および第２取り付け部２６の形成箇所の板厚が他の箇所よりも厚くされていてもよい。
【００２５】
上記吊り上げ具１は、上記第１引っ掛け部１１と、上記第２引っ掛け部１２と、上記第１引っ掛け部１１から上記第２引っ掛け部１２に渡って設けられるワイヤー部１３と、上記ワイヤー部１３に対して回転を生じて当該ワイヤー部１３を持ち上げる滑車（持ち上げ支持部）１４と、上記ワイヤー部１３に連結されており、上記壁パネル２が略鉛直に縦起こされた状態で上記第１引っ掛け部１１に係合する係合部１５と、上記滑車１４と上記第２引っ掛け部１２との間で上記ワイヤー部１３に直列に連結された長さ変更装置１６と、上記滑車１４を支持する支持棒部１７と、クレーンのフック３が引っ掛けられるフック引っ掛け部１８と、を備える。
【００２６】
各第１引っ掛け部１１は、例えば、上記第１取り付け部２５である挿通孔に図示しないボルト部が挿通されてナットが螺合されることで上記縦フレーム部２１ａに着脱可能に固定される横突出部１１ａと、この横突出部１１ａから上記壁パネル２の面外方向に突出する第１面外突出部１１ｂと、上記第１面外突出部１１ｂよりも横側にシフトした位置で上記横突出部１１ａから上記壁パネル２の面外方向に突出する第２面外突出部１１ｃと、上記第１面外突出部１１ｂと上記第２面外突出部１１ｃとの間の位置で上記横突出部１１ａから上記壁パネル２の高さ方向に突出する縦突出部１１ｄとを備えている。
【００２７】
各第２引っ掛け部１２は、例えば、棒形状を有しており、上記第２取り付け部２６である挿通孔に図示しないボルト部が挿通されてナットが螺合されることで上記縦フレーム部２１ａに着脱可能に固定される。なお、上記ナットを上記縦フレーム部２１ａの上記挿通孔の形成箇所に溶接等により固定しておいてもよい。
【００２８】
各ワイヤー部１３の一端側は、上記第１引っ掛け部１１の上記縦突出部１１ｄの上部側に連結されている。また、各ワイヤー部１３の下端にはフック部１３ａが設けられており、このフック部１３ａを上記第２引っ掛け部１２に引っ掛けることができる。
【００２９】
各滑車１４は、上記縦突出部１１ｄから上記係合部１５に渡るワイヤー箇所を持ち上げ、上記壁パネル２の吊り起こし状態の変化に対して上記ワイヤー部１３の支持状態を変化させる。上記滑車１４であれば、上記壁パネル２を吊り上げるときの上記ワイヤー箇所での支持位置変動が滑車回転によって円滑に行われる。なお、このような回転に限らず、滑りによって上記ワイヤー箇所での支持位置変動が行われるようにしてもよい。
【００３０】
各係合部１５は、上記壁パネル２が略鉛直に吊り上げられた状態のときに上記第１引っ掛け部１１に係合する位置に設けられている。また、上記係合部１５は、間隔をあけて設けられた上側横棒部１５ａおよび下側横棒部１５ｂと、これら上側横棒部１５ａと下側横棒部１５ｂとの間に位置する縦棒部１５ｃとを備えている。上記係合部１５が上記第１引っ掛け部１１に係合するときには、上記上側横棒部１５ａが上記第１引っ掛け部１１の第１、第２面外突出部１１ｂ、１１ｃの上側に位置し、上記下側横棒部１５ｂが上記第１引っ掛け部１１の第１、第２面外突出部１１ｂ、１１ｃの下側に位置し、上記縦棒部１５ｃが上記第１面外突出部１１ｂと第２面外突出部１１ｃとの間に位置する。
【００３１】
なお、上記の例では、上記係合部１５の下側横棒部１５ｂの下端面に上記ワイヤー部１３の下部側途中部位が直列状に固定されているが、これに限らず、上記ワイヤー部１３の下部側途中部位が、上記係合部１５の中間位置に固定されてもよいし、或いは上記係合部１５の上部位置に固定されてもよいし、或いは、上記係合部１５の上部位置を超えて上記ワイヤー部１３に固定されてもよい。
【００３２】
各長さ変更装置１６は、その長さを変更できるように構成されたものであり、上記ワイヤー部１３の下部側途中箇所において上記係合部１５に直列状に連結されていることで、上記ワイヤー部１３の実質長さを変更することができる。また、上記長さ変更装置１６は、例えば、図４（Ａ）および図４（Ｂ）に示すように、上記ワイヤー部１３の分断部の一端側に連結されるシリンダー１６ａと、このシリンダー１６ａ内に移動可能に設けられたピストン１６ｂと、上記ピストン１６ｂとともに移動し、上記ワイヤー部１３の分断部の他端側に連結されるプランジャ１６ｃと、上記ピストン１６ｂで仕切られる上記シリンダー１６ａ内の２室を連通させる連通パイプ１６ｄと、上記連通パイプ１６ｄによるシリンダー内流動体（作動油等）の移動を制御するコック部１６ｅとを備えている。
【００３３】
上記長さ変更装置１６において、上記プランジャ１６ｃは、上記コック部１６ｅが閉とされている状態では移動できない（長さ変更できない）。一方、上記プランジャ１６ｃは、上記コック部１６ｅが開とされている状態では、手動操作で移動できる（長さ変更できる）。
【００３４】
上記支持棒部１７は、上記壁パネル２の横幅と同程度の長さを有している。上記支持棒部１７の両端近傍の下面において、上記滑車１４が垂下支持されている。
【００３５】
上記フック引っ掛け部１８は、例えば、ワイヤーからなり、その端部が上記支持棒部１７の上面の両端近傍に固定されている。
【００３６】
図１に示したように、上記壁パネル２をその下端辺を支点に吊り起こすと、上記滑車１４の上側（壁パネル上側）に位置するワイヤー部１３の箇所においては、上記第１引っ掛け部１１の上記縦突出部１１ｄとの間で上記壁パネル２の荷重による張力が発生し、上記滑車１４の下側（壁パネル下側）に位置するワイヤー部１３の箇所においては、上記第２引っ掛け部１２との間で、上記係合部１５、上記長さ変更装置１６およびフック部１３ａが直列に並び、上記壁パネル２の荷重による張力が発生する。なお、この段階では、上記長さ変更装置１６は、長くない状態とされている。また、上記コック部１６ｅは閉じておく。
【００３７】
そして、図２に示すように、上記壁パネル２が略鉛直に縦起こされると、上記係合部１５が上記第１引っ掛け部１１に係合する状態が形成される。この状態では、上記係合部１５から上記第２引っ掛け部１２の側に位置するワイヤー部１３の箇所においては、上記壁パネル２の荷重による張力が発生している状態のままである。
【００３８】
そして、図３に示すように、上記係合部１５が上記第１引っ掛け部１１に係合している状態で、上記長さ変更装置１６を手動操作で長くし（上記コック部１６ｅを開いてプランジャを引き出し）、上記係合部１５の下側での上記ワイヤー部１３の実質長さを長くすることで、上記係合部１５で上記壁パネル２の荷重を受け止めるようになる。すなわち、上記係合部１５の上記下側横棒部１５ｂが、上記第１引っ掛け部１１の第１、第２面外突出部１１ｂ、１１ｃの下面に接触することで、上記係合部１５より下側のワイヤー部１３において張力が無くなり、上記第２引っ掛け部１２を上記壁パネル２から簡単に取り外すことができる。このように、上記第２引っ掛け部１２を壁パネル２から取り外した状態（上記第１引っ掛け部１１だけで吊る状態）で、上記壁パネル２を図示しない建物躯体の壁取付箇所にクレーンを用いて移動させ、当該壁パネル２を上記建物躯体に固定する。
【００３９】
このように、上記第１高さ位置よりも低い第２高さ位置に設けられる第２引っ掛け部１２によって上記壁パネル２の全高よりも低い位置でも当該壁パネル２の荷重の一部を受けるので、上記壁パネル２として多階層用の縦長の外壁パネルを縦起こす場合でも、当該外壁パネルに大きな撓みが発生するのを抑制することができる。そして、上記壁パネル２が縦起こされた状態で上記係合部１５が上記第１引っ掛け部１１に係合するので、上記壁パネル２の全荷重を上記第１引っ掛け部１１に負担させることが可能になり、このような負担状態を形成することで、上記第２引っ掛け部１２を上記壁パネル２から外すことができる。ここで、上記長さ変更装置１６を備えていると、上記壁パネル２の全荷重を上記第１引っ掛け部１１に負担させる操作を、上記長さ変更装置１６の手動操作で簡単に行えるようになる。
【００４０】
また、上記壁パネル２の吊り起こし状態の変化に対して上記ワイヤー部１３の支持状態を変化させる持ち上げ支持部として滑車１４を備えると、上記壁パネル２を吊り上げるときの上記ワイヤー部１３での支持位置変動を上記滑車１４の回転によって円滑に行わせることができる。
【００４１】
なお、上記長さ変更装置１６に代わる構造を採用することができる。例えば、図５に示すように、上記係合部１５における上記下側横棒部１５ｂの下面側からボルト１５ｄをねじ込み、その先端を上面から突出させて、上記第１引っ掛け部１１の第１、第２面外突出部１１ｂ、１１ｃに接触できるようにしておく。上記係合部１５が上記第１引っ掛け部１１に係合する状態で上記ボルト１５ｄの先端側を突出させて第１、第２面外突出部１１ｂ、１１ｃに接触させることで、上記壁パネル２の全荷重を上記第１引っ掛け部１１に負担させることが可能になる。
【００４２】
図６（Ａ）および図６（Ｂ）は、上記第１引っ掛け部１１の他の構成例を示している。この例に示す第１引っ掛け部１１は、上記壁パネル２の上記フレーム２１の上側の横フレーム部２１ｂの上面部にボルト等を用いて固定されて、パネル横方向に突出するようになっている。上記横フレーム部２１ｂは、例えば、溝型鋼からなり、そのウェブが上記上面部をなす。そして、上記縦突出部１１ｄとなる板材には、上側のワイヤー部１３の一部となるシャックル１３Ａが連結されている。また、第１、第２面外突出部１１ｂ、１１ｃは、金属棒を曲げて形成されており、その先端側は壁パネル２の下方側へ傾斜している。また、壁パネル２に近い側ほど、第１、第２面外突出部１１ｂ、１１ｃの間隔が狭くなるようにしてある。これにより、上記係合部１５が第１、第２面外突出部１１ｂ、１１ｃの根元側へとガイドされ易く、また、上記係合部１５の不用意な外れも抑制される。なお、図６においては、上記係合部１５をシャックルを用いて構成している。このシャックルによる係合部１５の上側には、上記滑車１４側のワイヤー部１３が連結され、下側には上記長さ変更装置１６側のワイヤー部１３が連結されることになる。また、上記係合部１５をシャックルを用いて構成することに限らず、例えば、棒状部材の上下両端にアイナットが設けられ、棒状部材の中間位置に上記第１、第２面外突出部１１ｂ、１１ｃに引っ掛かる六角ナット部を有するような構造も採用できる。
【００４３】
図７は、上記第２引っ掛け部１２およびワイヤー部１３の他の構成例を示している。図１に示した構成例では、ワイヤー部１３のフック部１３ａが上記第２引っ掛け部１２に引っ掛けられるようにしたが、図７に示す構成例では、ワイヤー部１３の最端部をなすシャックル１３Ｂがボルト１２ａによって上記第２引っ掛け部１２に連結され、上記シャックル１３Ｂにシャックル１３Ｃが連結され、上記シャックル１３Ｃにシャックル１３Ｄが連結され、このシャックル１３Ｄが長さ変更装置１６のプランジャ１６ｃに固定されている。また、長さ変更装置１６のシリンダー１６ａには、シャックル１３Ｅを介してワイヤー部１３が連結される。
【００４４】
上記壁パネル２の吊り起こし状態の変化に対して上記ワイヤー部１３の支持状態を変化させる持ち上げ支持部として、上記滑車１４を備えたが、これに限らない。例えば、図８に示すように、上記持ち上げ支持部としてウィンチ１４Ａを備えてもよい。このウィンチ１４Ａは、上記ワイヤー部１３の上記第１引っ掛け部１１の側となるワイヤー箇所の巻き上げおよび巻き戻し（長さ調節）が図示しない電動モーターにより行えるようになっている。また、上記電動モーターの回転制御を、リモートコントローラーにより行うようにしている。作業者は、上記壁パネル２の吊り上げ状態をみながら、上記ワイヤー部１３の上側となるワイヤー箇所の長さ調節を、上記リモートコントローラーを操作して上記ウィンチ１４Ａに行わせる。
【００４５】
また、図９に示すように、上記ワイヤー部１３を支持状態可変に持ち上げる持ち上げ支持部として天秤部材１４Ｂを備えてもよい。なお、上記ワイヤー部１３における上側部の長さと下側部の長さは等しくされており、また、これらの長さと天秤部材１４Ｂにおける上記ワイヤー部１３の上側部と下側部との連結間隔も等しくされることで、全体として正方形状をなしている。このような天秤部材１４Ｂを備える構成でも、上記壁パネル２の吊り起こし状態の変化に対して上記ワイヤー部１３の支持状態を変化させることができる。
【００４６】
また、上記の例では、壁面材２２をフレーム２１に固定した壁パネル２を吊り上げ対象物として吊り上げたが、上記フレーム２１を吊り上げ対象物として吊り上げるようにしてもよい。この場合、上記第１引っ掛け部１１や上記第２引っ掛け部１２をフレーム２１のフレーム横方向に突出させる必要は特にない。また、上記第２引っ掛け部１２をフレーム２１の両端ではなく、中央側に１か所設けるようにしてもよい。
【００４７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４８】
１      ：吊り上げ具
２      ：壁パネル
３      ：フック
１１    ：第１引っ掛け部
１１ａ  ：横突出部
１１ｂ  ：第１面外突出部
１１ｃ  ：第２面外突出部
１１ｄ  ：縦突出部
１２    ：第２引っ掛け部
１２ａ  ：ボルト
１３    ：ワイヤー部
１３ａ  ：フック部
１４    ：滑車（持ち上げ支持部）
１４Ａ  ：ウィンチ（持ち上げ支持部）
１４Ｂ  ：天秤部材（持ち上げ支持部）
１５    ：係合部
１５ａ  ：上側横棒部
１５ｂ  ：下側横棒部
１５ｃ  ：縦棒部
１５ｄ  ：ボルト
１６    ：長さ変更装置
１６ａ  ：シリンダー
１６ｂ  ：ピストン
１６ｃ  ：プランジャ
１６ｄ  ：連通パイプ
１６ｅ  ：コック部
１７    ：支持棒部
１８    ：フック引っ掛け部
２１    ：フレーム
２１ａ  ：縦フレーム部
２１ｂ  ：横フレーム部
２１ｃ  ：横桟
２２    ：壁面材
２５    ：第１取り付け部
２６    ：第２取り付け部
【図１】
2018043859.tif 000003
【図２】
2018043859.tif 000004
【図３】
2018043859.tif 000005
【図４】
2018043859.tif 000006
【図５】
2018043859.tif 000007
【図６】
2018043859.tif 000008
【図７】
2018043859.tif 000009
【図８】
2018043859.tif 000010
【図９】
2018043859.tif 000011